(57)【特許請求の範囲】
【請求項１】
ヒューズを備えるロッカースイッチユニット（１）において、ハウジング（２）と；オン位置とオフ位置を有するハウジング（２）に揺動自在に係合されたロッカースイッチ（３）と；ハウジング（２）に係合された少なくとも一つのヒューズと；ロッカースイッチユニット（１）を外部要素と接続させる少なくとも二つの第一と第二接続要素（９）とから成り、ロッカースイッチ（３）がオン位置にあるときに、二つの接続要素（９）がヒューズによって互いに接続されていて、ロッカースイッチがオフ位置にあるときに、二つの接続要素（９）が離脱され、ハウジング（２）がヒューズを収容する少なくとも一つの盲孔（４）を備えていて、ヒューズの一端がロッカースイッチユニット（１）を外部要素と接続させる第一接続要素として用いられることを特徴とするロッカースイッチユニット。
【請求項２】
少なくとも一つの盲孔（４）には、ヒューズの第二端に接続させるばね（６）を備えていることを特徴とする請求項１に記載のロッカースイッチユニット（１）。
【請求項３】
少なくとも一つの盲孔（４）には、ヒューズコネクタ（７）が配置されていることを特徴とする請求項１或いは２に記載のロッカースイッチユニット（１）。
【請求項４】
ハウジング（２）には、二つの盲孔（４）があって、二つの盲孔が互いに二つのヒューズと各ヒューズ用の二つの接続要素（９）を収容することを特徴とする請求項１乃至３のいずれか一項に記載のロッカースイッチユニット（１）。
【請求項５】
ハウジング（２）が第一側にロッカースイッチ（３）と第一側と反対の第二側に少なくとも一つのヒューズを盲孔（４）に収容する単片から成ることを特徴とする請求項１乃至４のいずれか一項に記載のロッカースイッチユニット（１）。
【請求項６】
ハウジング（２）が段部を形成されていて、段部には第二接続要素（９）が配置されていることを特徴とする請求項１乃至５のいずれか一項に記載のロッカースイッチユニット（１）。
【請求項７】
ハウジング（２）が段部を形成されていて、段部の後側には少なくとも一つの盲孔（４）が配列されていることを特徴とする請求項１乃至６のいずれか一項に記載のロッカースイッチユニット（１）。
【請求項８】
一つの接続要素（９）がＬの形状を有し、ハウジング（２）の内側の底でＬの下部分と係合され、Ｌの他の部分がロッカースイッチユニット（１）を外部要素と接続させるためにハウジング（２）の内側のスリット（１５）を通して外側に利用できることを特徴とする請求項１乃至７のいずれか一項に記載のロッカースイッチユニット（１）。
【請求項９】
ヒューズの第二端が接続要素（８）によって盲孔（４）の内側に接続されていて、その盲孔が内部スリット（１６）を通してハウジング（２）の内側まで延びていることを特徴とする請求項１乃至８のいずれか一項に記載のロッカースイッチユニット（１）。
【請求項１０】
ロッカースイッチ（３）の下には、ベース（５）が設けられていて、ばね（１３）と玉軸受（１４）によって各側に噛み合わせられ、ロッカースイッチ（３）がオン位置にあるときに、玉軸受（１４）がスイッチ接続要素（１０）を切換えて二つの接続要素（９）を接続させることを特徴とする請求項１乃至９のいずれか一項に記載のロッカースイッチユニット（１）。
【請求項１１】
ハウジング（２）が上側に設けて、ロッカースイッチ（３）が各横側に揺動自在に係合され、二つの横壁がスロットにより分離され、それにより二つの壁がハウジング（２）の下部分に分離的に接続されていることを特徴とする請求項１乃至１０のいずれか一項に記載のロッカースイッチユニット（１）。
【請求項１２】
ロッカースイッチ（３）がノブ（２０）によってハウジング（２）の二つの内壁に二つの対向横側に揺動自在に固定されていることを特徴とする請求項１１に記載のロッカースイッチユニット（１）。
【請求項１３】
ロッカースイッチユニット（１）がハウジング（２）に横クリップ要素（２１）を有してユニット（１）を外部要素と接続させることを特徴とする請求項１乃至１２のいずれか一項に記載のロッカースイッチユニット（１）。
【請求項１４】
ロッカースイッチ（３）の下には、照明手段（１１）が配列されていることを特徴とする請求項１乃至１３のいずれか一項に記載のロッカースイッチユニット（１）。
【請求項１５】
ハウジング（２）は、ロッカースイッチ（３）がハウジング（２）の寸法を与えるように、ロッカースイッチ（３）を取り囲むことを特徴とする請求項１乃至１４のいずれか一項に記載のロッカースイッチユニット（１）。
【請求項１６】
請求項１乃至１５のいずれか一項に記載のロッカースイッチユニット（１）が装置に、ネットワークフィルタに或いはＩＥエントリープラグとして使用されることを特徴とする使用方法。
【発明の詳細な説明】
【技術分野】
【０００１】
この発明は、独立請求項によるヒューズを備えるロッカースイッチユニットに関する。有益な実施例は従属請求項に与えられる。発明のロッカースイッチユニットはこの明細書に開示するように任意の装置に、ネットワークフィルタに或いはＩＥＣエントリープラグとして使用され得る。
【背景技術】
【０００２】
ヒューズを備えるスイッチは先行技術において流行して知られている。そのような実施例の例が与えられる。
【０００３】
フランス特許第２４９９７６１号明細書（特許文献１）は、双極性スイッチ用の二つのハウジングを表すモジューラ寸法本体と異なる寸法を有し得るヒューズホルダーを包含するハウジングとから成るヒューズを備えた双極性スイッチを開示する。二つの接点が中立フィーダーラインワイヤに接続するために使用された二つの端子に面する。第二フィーダーワイヤ（位相ワイヤ）が端子とヒューズホルダーの端子に接続されている。
【０００４】
フランス特許第２４３１７６２号明細書（特許文献２）は、ヒューズカートリッジを包囲するために使用された空所を表す選択フォークを備える回路遮断器を開示する。この回路遮断器は単一位相設備の位相導体に置かれるよう企図されている。
【０００５】
欧州特許第０６９０５２７号明細書（特許文献３）は、電力供給ネットワークにより使用され且つ取外し可能なカバーを備えるプラスチックハウジングを有する単相ケーブル用コネクタを開示する。ハウジングの天側は導体に掛け金できるフォーク端と突出しフィンガー接点を係合させる平らな導体を有する。ベース内にはケーブルを受けるねじ端子である。ヒューズがケーブル端を導体に連結するために使用される。取外し可能なカバーはＨＲＣヒューズに容易な接近を可能とするハウジングの片面に設けられている。
【０００６】
米国特許第３８００２５９号明細書（特許文献４）は、所望電気回路にそれぞれに相互連結される一対の間隔を置いた第一と第二接点部材を有するハウジングを開示し、電気回路は接点部材が電気的に互いに連結されて一体となるまで、完成されない。手動可動なヒューズ部材がハウジングにより保持され、ハウジングに対する一つの作用位置を有し、ヒューズ部材が接点部材間でヒューズ部を介しての電気接点を形成するので、回路がヒューズ部材によって完成されるばかりではなく、回路が溶融された部材によって融合される。ヒューズ部材は、ハウジングに対して他の作用位置に移動される時に、回路を開放するように接点部材間の電気接点を離して、ヒューズ部材が電気回路用の手動作動可能なスイッチとして働く。
【０００７】
米国特許第６７３４５８０号明細書（特許文献５）は、ハウジングと融合されたスイッチユニットのハウジングに据付けられる切替えロッカーとを備える融合スイッチユニットに関し、切替えロッカーが切替えオン位置と切替えオフ位置との間に前後に揺動できる。融合スイッチユニットは監視回路用の装置とヒューズリンクの役立ちを監視する表示体とを有し、表示体が切替えロッカーに配列されている。表示体は好ましくは光学表示体である。
【０００８】
フランス特許第２１９１２３４号明細書（特許文献６）は、ヒューズが挿入される本体を備えるスイッチを開示する。本体は本体を変えるために取り外されなければならない。ドイツ実用新案第９４０３８７９号明細書（特許文献７）は同様な実施態様を開示する。
【０００９】
米国特許第４２９８８５４号明細書（特許文献８）は組合せカートリッジヒューズホルダーを開示し、スイッチが第一平面に配列され且つ傾斜路に隣接して位置された一対の間隔を置いたバーを包含する新規切替機構を使用する。接点ピンがスイッチアームに据付けられ、スイッチアームが順に揺動自在に据付けられるので、ピンはピンが傾斜路に休止するオフ位置から接点バーに休止して橋渡しするオン位置まで移動できる。接点バーの一方が第一端子に電気的に接続されるのに対して、接点バーの他方が第二端子にヒューズを介して電気的に接続される。
【００１０】
これらのスイッチの不利益は、あまり多くの機械部品が包含されることである。あまり多くの機械部品が部品当たりより高い生産価格に導くばかりではなく、しかし、各これら部品の損傷の危険を増加する。追加的に、特にヒューズがスイッチの内側にあるところでは、ヒューズが容易に交換され得ない。これら切替ユニットの他の欠点は、多くの切替ユニットが全ユニットとして取外されできず、装置に接続される事実から生じる。切替ユニットの損傷の場合には、切替ユニットがスイッチを修繕するために容易に取外されない。他の欠点は、スイッチが大き過ぎて空間を要する事実から生じる。
【先行技術文献】
【特許文献】
【００１１】
【特許文献１】フランス特許第２４９９７６１号明細書
【特許文献２】フランス特許第２４３１７６２号明細書
【特許文献３】欧州特許第０６９０５２７号明細書
【特許文献４】米国特許第３８００２５９号明細書
【特許文献５】米国特許第６７３４５８０号明細書
【特許文献６】フランス特許第２１９１２３４号明細書
【特許文献７】ドイツ実用新案第９４０３８７９号明細書
【特許文献８】米国特許第４２９８８５４号明細書
【発明の概要】
【発明が解決しようとする課題】
【００１２】
この発明は、先行技術の欠点を回避するロッカー切替えユニットを生産することを目的とする。
【００１３】
それ故に、この目的は先行技術で知られたより少ない機械部品を備えて且つ先行技術で知られた実施態様より簡単であるスイッチ本体を備える切替えユニットを生産することである。
【００１４】
他の目的は、ヒューズ或いは全ユニットを変えるために任意の装置から容易に取外されできる切替えユニットを生産することである。
【００１５】
他の目的は、先行技術から知られたモデルより少ない空間の必要な切替えユニットを生産することである。
【００１６】
この発明によると、これらの目的は、ハウジングがヒューズを収容する少なくとも一つの盲孔を備えて、ヒューズの一端が外部要素とロッカースイッチユニットを接続させる第一接続要素として用いられることを特徴とする独立請求項の前文によるロッカースイッチユニットによって遂行される。
【００１７】
有益な実施態様は従属請求項に与えられる。
【００１８】
ヒューズはばねとヒューズホルダーによって盲孔内に有益に保持され得る。ロッカースイッチの下にベースが設けられていて、ばねと玉軸受によって二つの側に噛み合わせられ、ロッカースイッチがオン位置にあるときに、玉軸受が二つのコネクタ要素を接続するようにスイッチ接続要素を切替える。
【００１９】
ハウジングが上側に設けられていて、ロッカースイッチが揺動自在に各横面に係合され、二つの横壁がスロットにより分離され、それにより二つの壁がハウジングの下部品に分離可能に接続されている。ロッカースイッチは揺動して、ノブによってハウジングの二つの内壁に二つの対向横面に固定され、それにより内壁が対応円形穿孔を有する。それで、接続要素、ベースとスイッチを包含する内部品の組立は容易に行われる、というのは、スイッチが天部から取り外され得るからである。
【００２０】
ベースの天部上のスイッチの下には光或いはＬＥＤのような照明手段が配列され得て、ユニットの良好な機能を与えて、スイッチがオン位置にあり、暗く見え得るときに表示する。
【００２１】
発明の切替えユニットの利点は、ロッカースイッチを取り囲むハウジングからロッカースイッチが本質的にハウジングと全ユニットの寸法を与える事実から生じる。通常作用中の外側から、ヒューズが見られない。使用者がこれらヒューズを心配する必要はない。しかしながら、ユニットが装置から引き出され、必要ならば、ヒューズ或いはユニット全体さえが容易に換えられる。これは、装置のマニアルに記載され得る。この明細書に開示するようなロッカースイッチユニットが任意の装置に、ネットワークフィルタに或いはＩＥＣエントリープラグとして使用され得る。
【図面の簡単な説明】
【００２２】
この発明は、例として与えられ且つ図によって例示された実施態様の記述の助けによりより良く理解される。
【図１ａ】この発明によるロッカースイッチユニットの二つの側面の一方から見た一般的図を示す。
【図１ｂ】この発明によるロッカースイッチユニットの二つの側面の他方から見たから一般的図を示す。
【図１ｃ】この発明によるロッカースイッチユニットの下から見た一般的図を示す。
【図２ａ】この発明のロッカースイッチユニットを通る図１ｃの断面Ａ−Ａによる断面を示す。
【図２ｂ】この発明のロッカースイッチユニットを通る図１ｃの断面Ｂ−Ｂによる断面を示す。
【図３ａ】ロッカースイッチユニットのハウジングの種々の内の一つの図を示す。
【図３ｂ】ロッカースイッチユニットのハウジングの種々の内の一つの図を示す。
【図３ｃ】ロッカースイッチユニットのハウジングの種々の内の一つの図を示す。
【図４】光ベースの実施態様を示す。
【図５】ヒューズコネクタの実施態様を示す。
【図６】この発明によるスイッチ接続要素を示す。
【図７】第一接続要素を示す。
【図８】ロッカースイッチの実施態様を示す。
【図９】第二接続要素を示す。
【図１０】ヒューズホルダー内のばねを通る断面を示す。
【発明を実施するための形態】
【００２３】
図１ａはスイッチ本体或いはハウジング２を備えるこの発明のロッカースイッチユニット１の二つの側面から見た一般的図を示す。ロッカースイッチユニット１の天部には、スイッチ或いはロッカースイッチ３が設けられていて、二つの位置、一つのオン位置と一つのオフ位置を有する。図１ｂはユニットの底からこの発明のロッカースイッチユニット１の第二図を示す。この発明のユニット１の底には、二つの盲孔４が設けられていて、この盲孔にヒューズ（示されない）が入れられ得る。ヒューズの一端が盲孔４の内側にばね６によって接続される一方、スイッチが使用されるときに、第二側面が外部要素とロッカースイッチユニット１を接続させるユニット１の第一接続要素として用いられる。図１ｂに見られるように、第二接続要素９は外部要素とロッカースイッチユニット１を接続させるユニット１の底の下部に設けられている。
【００２４】
ユニット１のハウジング２が底に段部を形成されていて、段部の後方には盲孔４が配列され、段部自体には、接続要素９が配置されている。ハウジング２がユニット１の全ての本質的部品を収容する単片から成る。ユニット１の寸法はスイッチ自体の寸法に本質的に対応し、スイッチがユニット１の大きな利点を表す。図１ｃはこの発明のロッカースイッチユニット１の下から見た図を示し、このユニット１内に盲孔４と第二接続要素９が見られる。
【００２５】
ユニット１の分離要素をより良く理解するために、図２ａはユニット１を通る図１ｃの断面Ａ−Ａによる断面を備えて、図２ｂはこの発明のロッカースイッチユニット１を通る図１ｃの断面Ｂ−Ｂによる断面を示す。
【００２６】
図２ａ、ｂに示されるように、ハウジング２の内側のスイッチ３の下に（細部が図８を参照）光ベースがある（図４）。ライトベース５がスイッチの運動を伝達し、スイッチコネクタ１０を介してスイッチ３のオン位置或いはオフ位置によるスイッチング要素を接続する／離脱する。光ベース５が各側面にばね１３と玉軸受１４と噛み合わせられ、玉軸受がスイッチコネクタ１０と接触して導く。この理由のために、二つの突起がベース５の下側に設けられていて、そのベースにばねが保持される。要素８（図９）と要素９（図７）を接続させる外部装置を接続するために、前記ハウジング２の内底のハウジング２の内側に配置されていて、スリット１５、１６によって底を通して延びている。
【００２７】
図７に詳細に示された接続要素８は二つのホーンによってスイッチング要素１０（図６）に接続されていて、このスイッチング要素が中間断面の各側面に二つの対応溝を有する。接続要素８の中間断面がハウジング２の内部底に横たわり、一端がスイッチング要素１０に垂直に延びていて、スイッチング要素１０と接続されていて、他端が盲孔４の内側にスリット１６を通して他の方向において垂直に延びている。接続要素８のこの端部がばね６によってヒューズ（図示されていない）の一端を接続させる。第二接続要素９はＬの形状を有し、ハウジングの内側の底にＬの下部分によって係合されて、Ｌの他の部分が図１ａ、ｂと図２ａに見られる如く、スリット１５を通して外側に利用できる。スイッチ３の運動を伝達するライトベース５がスイッチコネクタ１０を介してスイッチ３のオン位置或いはオフ位置によるスイッチング要素を接続し／離脱し、両接続要素８、９を接続する／離脱する。両盲孔４内のヒューズのために、互いに次に配置されたスイッチング要素１０を備える接続要素８、９がある。この理由のために、ライトベース５が各側面でばね１３を有する玉軸受１４に噛み合わせられる。
【００２８】
各盲孔４の内側にばね６とヒューズコネクタ７が予知される。図１０がヒューズコネクタ７内のばね６を通る断面を示し、図５はヒューズコネクタ７の実施例を示す。ヒューズコネクタ７は逆Ｕの形状を有する。天部は再びスリット１７（図５）を備えていて、スリットを通して接続要素８の一端が延びている（図２ａ参照）。接続要素のこの端部がばね６に接続されている。ヒューズコネクタ７の一つの脚には、孔１８が表され、ヒューズを収容して保持する。両ばね６と両脚の窪みがヒューズを適切な場所に保持する。ヒューズコネクタ７の柔軟性によって、ヒューズが容易に取り外されるか、或いは交換される。図１０に示されたばね６は両側に二つの異なった直径を有し；これで、ばねがヒューズコネクタ７と盲孔４に容易に導入され得る。
【００２９】
さらに、図２ｂに見られる如く、ライトベース５の天部のスイッチ３の下にライト１１或いはＬＥＤのような照明手段があって、ユニットの良好な機能を証明するよう配置されていて、スイッチがオン位置にあるときに表示し、ダークに見られる。レジスタ１２がライト１１に接続されている。
【００３０】
図３ａ，ｂ，ｃはスイッチユニット１のハウジング２の種々の図を示す。この発明によると、ハウジング２が単片から成る。ハウジング２が上側に設けて、スイッチ３が各横側に係合され、横壁がスロットにより分離され、それにより二つの壁がハウジングの下側に分離的に接続されている。スイッチ３が二つの対向横側にノブ２０によってハウジング２の二つの内壁に揺動自在に固定されている。内壁は揺動できるように対応する円形穿孔１９を有する。接続要素８、９、ベース５とスイッチ３を包含する内部品の組立ては容易に行われ得る。外壁は外側に任意の装置にユニット１を固定するクリップ要素２１を有する。スイッチが天部から取り外され得るので、接続要素、ベースとスイッチを包含する内部品の組立ては容易に行われ得る。  
【００３１】
この発明のユニット１の利点は、ロッカースイッチ３がハウジングと全ユニットの寸法を与えるように、ロッカースイッチ３を取り囲むハウジングから成る。通常の作用中の外側から、ヒューズが見られない。任意の他のユニットがこれらヒューズを心配する必要はない。しかしながら、ユニット１が必要に応じて容易にヒューズ或いはユニット全体さえも変更する装置から引き出され得る。これは、装置のマニュアルに記載され得る。この明細書に開示するように、ロッカースイッチユニット１が任意の装置に、ネットワークフィルタに或いはＩＥエントリープラグとして使用され得る。
【符号の説明】
【００３２】
１．．．．．ロッカースイッチユニット
２．．．．．ハウジング，スイッチ本体
３．．．．．ロッカースイッチ，スイッチノブ
４．．．．．ハウジング２の盲孔
５．．．．．ライトベース
６．．．．．ヒューズコネクタ用のばね
７．．．．．ヒューズコネクタ
８．．．．．接続要素
９．．．．．接続要素
１０．．．．．スイッチコネクタ
１１．．．．．ライト
１２．．．．．レジスタ
１３．．．．．ロッカースイッチユニット１内のばね
１４．．．．．玉軸受
１５．．．．．接続要素９用のハウジング２のスリット
１６．．．．．接続要素８用のハウジング２のスリット
１７．．．．．ヒューズコネクタ７のスリット
１８．．．．．穿孔
１９．．．．．円形穿孔
２０．．．．．ノブ
２１．．．．．クリップ要素
【図１ａ】
0005270005.tif 000002
【図１ｂ】
0005270005.tif 000003
【図１ｃ】
0005270005.tif 000004
【図２ａ】
0005270005.tif 000005
【図２ｂ】
0005270005.tif 000006
【図３ａ】
0005270005.tif 000007
【図３ｂ】
0005270005.tif 000008
【図３ｃ】
0005270005.tif 000009
【図４】
0005270005.tif 000010
【図５】
0005270005.tif 000011
【図６】
0005270005.tif 000012
【図７】
0005270005.tif 000013
【図８】
0005270005.tif 000014
【図９】
0005270005.tif 000015
【図１０】
0005270005.tif 000016